(57)【特許請求の範囲】
【請求項１】
少なくとも一部の機能について使用制限の設定が可能な携帯端末装置であって、
使用制限を設定および解除する設定解除部と、
使用制限を解除するための認証情報の入力を要求する入力要求部と、
予め登録された登録情報に基づいて、入力された認証情報を認証する認証部と、
携帯端末装置と電波によって無線通信可能であって、携帯端末装置を予め定めるネットワークに接続するための予め定める無線通信装置と無線通信を行う無線通信部と、
前記無線通信装置から送信される電波の受信電界強度を取得する通信状態取得部と、
通信状態取得部によって取得された電波の受信電界強度が、予め定める電界強度以上であるか否かを判定する通信状態判定部とを備え、
使用制限が設定された機能の実行に際し、携帯端末装置が前記予め定めるネットワークに接続されていない場合、または、携帯端末装置が前記予め定める無線通信装置を介して前記予め定めるネットワークに接続され、かつ、通信状態取得部によって取得された電波の受信電界強度が、予め定める電界強度以上でないと通信状態判定部によって判定された場合に、入力要求部が認証情報の入力を要求し、携帯端末装置が前記予め定める無線通信装置を介して前記予め定めるネットワークに接続され、かつ、通信状態取得部によって取得された電波の受信電界強度が、予め定める電界強度以上であると通信状態判定部によって判定された場合に、入力要求部が認証情報の入力を要求することなく、設定解除部が使用制限を解除することを特徴とする携帯端末装置。
【請求項２】
少なくとも一部の機能について使用制限の設定が可能な携帯端末装置であって、
使用制限を設定および解除する設定解除部と、
使用制限を解除するための認証情報の入力を要求する入力要求部と、
予め登録された登録情報に基づいて、入力された認証情報を認証する認証部と、
携帯端末装置を接続可能なクレードルを介して、携帯端末装置とデータ通信が可能に構成された情報処理装置との接続状態を取得する接続状態取得部と、
接続状態取得部によって取得された接続状態に基づいて、携帯端末装置の接続状態が、情報処理装置とデータ通信可能な接続状態であるか否かを判定する接続状態判定部とを備え、
使用制限が設定された機能の実行に際し、携帯端末装置がクレードルに接続されていない場合、または、携帯端末装置がクレードルに接続され、かつ、接続状態判定部によってクレードルを介して情報処理装置とデータ通信可能な接続状態でないと判定された場合に、入力要求部が認証情報の入力を要求し、携帯端末装置がクレードルに接続され、かつ、接続状態判定部によってクレードルを介して情報処理装置とデータ通信可能な接続状態であると判定された場合に、入力要求部が認証情報の入力を要求することなく、設定解除部が使用制限を解除することを特徴とする携帯端末装置。
【発明の詳細な説明】
【技術分野】
【０００１】
本発明は、ユーザが持ち運んで使用することが可能な携帯端末装置に関し、特に、少なくとも一部の機能について使用制限の設定が可能な携帯端末装置に関する。
【背景技術】
【０００２】
近年、携帯電話、ＰＤＡ（Personal Digital Assistant）およびノート型のパソコン（ＰＣ：Personal Computer）など、ユーザが持ち運んで使用することが可能な携帯端末装置が広く普及している。このような携帯端末装置には、紛失時や盗難時に、端末装置内に記憶されている個人的な情報や機密情報などの情報が外部へ漏洩してしまうこと、および他人によって端末装置が不正使用されることを防止するために、端末装置の種々の機能のうちの一部あるいは全ての機能について使用制限を設定する機能、いわゆるセキュリティロック機能が搭載されている。
【０００３】
このセキュリティロック機能を利用して、一部あるいは全ての機能について使用制限を設定した場合、ユーザは、その使用制限が設定された機能を利用するために、使用制限を解除するための認証情報を、端末装置に入力しなければならない。たとえば、全ての機能について使用制限が設定されている携帯電話の場合、電源の投入時に、パスワードや暗証番号などの認証情報を入力することが要求される。これに対して、ユーザは、正しい認証情報を入力しなければ、携帯電話に備えられる機能、たとえば電話の発信・着信、電話帳の作成・閲覧、電子メールの作成・送信・閲覧、撮像素子による静止画像または動画像の撮影、およびインターネットへの接続などの機能を実現するためのアプリケーションプログラムを実行することができない。
【０００４】
たとえば特許文献１には、持ち運んで使用することが可能なパソコンにおいて、情報漏洩に対するセキュリティを強化するとともに、ユーザによる利便性を向上したセキュリティシステムが提案されている。
【０００５】
この特許文献１のセキュリティシステムは、持ち運び可能なＰＣと、ＰＣと通信可能なＰＨＳ（Personal Handy-phone System）端末とを用いることによって実現され、具体的には、ＰＣに対して、ＰＨＳ端末との通信により認証処理を実行するように構成されたソフトウェアを予めインストールしておき、ＰＨＳ端末が所定のＰＨＳ基地局に対して無線通信可能な範囲内（圏内）であれば、ＰＨＳ端末とＰＣとの通信により、ソフトウェアによる認証が実行される。これにより、ＰＣは、ユーザが使用可能な状態になる。一方、ＰＨＳ端末が所定のＰＨＳ基地局に対して無線通信可能な範囲外（圏外）であれば、ソフトウェアによる認証が実行されない。この場合、ユーザは、ＰＣを使用することができない。このようなセキュリティシステムによって、限られた範囲内でのみＰＣの移動を可能にするとともに、ＰＣの紛失時または盗難時に、ＰＣ内に記憶される機密情報の外部への漏洩の防止を実現している。
【先行技術文献】
【特許文献】
【０００６】
【特許文献１】特開２００８−２１９４６９号公報
【発明の概要】
【発明が解決しようとする課題】
【０００７】
ところで、前記のようなセキュリティロック機能は、情報の漏洩防止や不正使用の禁止のために非常に有効な機能である。しかし、その反面、使用制限が設定された機能を利用するために、毎回認証情報を入力しなければならず、その入力作業は、ユーザにとって非常に煩わしいものとなっている。
【０００８】
特許文献１の技術では、セキュリティの強化は図られているものの、パソコンを使用可能な状態にするために、さらに別の端末装置を携帯しておく必要があるため、ユーザにとっては不便である。また、ＰＨＳ端末が所定のＰＨＳ基地局に対して無線通信可能な範囲外にあれば、ユーザはＰＣを全く使用することができないという点においても不便である。
【０００９】
本発明の目的は、少なくとも一部の機能について使用制限の設定が可能な携帯端末装置において、設定された使用制限の解除に関してユーザの利便性を向上することのできる携帯端末装置を提供することである。
【課題を解決するための手段】
【００１２】
また本発明は、少なくとも一部の機能について使用制限の設定が可能な携帯端末装置であって、
使用制限を設定および解除する設定解除部と、
使用制限を解除するための認証情報の入力を要求する入力要求部と、
予め登録された登録情報に基づいて、入力された認証情報を認証する認証部と、
携帯端末装置と電波によって無線通信可能であって、携帯端末装置を予め定めるネットワークに接続するための予め定める無線通信装置と無線通信を行う無線通信部と、
前記無線通信装置から送信される電波の受信電界強度を取得する通信状態取得部と、
通信状態取得部によって取得された電波の受信電界強度が、予め定める電界強度以上であるか否かを判定する通信状態判定部とを備え、
使用制限が設定された機能の実行に際し、携帯端末装置が前記予め定めるネットワークに接続されていない場合、または、携帯端末装置が前記予め定める無線通信装置を介して前記予め定めるネットワークに接続され、かつ、通信状態取得部によって取得された電波の受信電界強度が、予め定める電界強度以上でないと通信状態判定部によって判定された場合に、入力要求部が認証情報の入力を要求し、携帯端末装置が前記予め定める無線通信装置を介して前記予め定めるネットワークに接続され、かつ、通信状態取得部によって取得された電波の受信電界強度が、予め定める電界強度以上であると通信状態判定部によって判定された場合に、入力要求部が認証情報の入力を要求することなく、設定解除部が使用制限を解除することを特徴とする携帯端末装置である。
【００１４】
また本発明は、少なくとも一部の機能について使用制限の設定が可能な携帯端末装置であって、
使用制限を設定および解除する設定解除部と、
使用制限を解除するための認証情報の入力を要求する入力要求部と、
予め登録された登録情報に基づいて、入力された認証情報を認証する認証部と、
携帯端末装置を接続可能なクレードルを介して、携帯端末装置とデータ通信が可能に構成された情報処理装置との接続状態を取得する接続状態取得部と、
接続状態取得部によって取得された接続状態に基づいて、携帯端末装置の接続状態が、情報処理装置とデータ通信可能な接続状態であるか否かを判定する接続状態判定部とを備え、
使用制限が設定された機能の実行に際し、携帯端末装置がクレードルに接続されていない場合、または、携帯端末装置がクレードルに接続され、かつ、接続状態判定部によってクレードルを介して情報処理装置とデータ通信可能な接続状態でないと判定された場合に、入力要求部が認証情報の入力を要求し、携帯端末装置がクレードルに接続され、かつ、接続状態判定部によってクレードルを介して情報処理装置とデータ通信可能な接続状態であると判定された場合に、入力要求部が認証情報の入力を要求することなく、設定解除部が使用制限を解除することを特徴とする携帯端末装置である。
【発明の効果】
【００１６】
本発明によれば、少なくとも一部の機能について使用制限の設定が可能な携帯端末装置において、所定の条件が満たされた場合には、ユーザが認証情報の入力をしないでも、使用制限が自動的に解除される。これにより、情報漏洩や不正使用に対するセキュリティを図りつつも、認証情報の入力作業を省略可能とすることで、ユーザの利便性を向上させることができる。
【図面の簡単な説明】
【００１７】
【図１】本発明の第１の実施形態に係る携帯端末装置１００のハードウェア構成の一例を示すブロック図である。
【図２】本発明の第１の実施形態に係る携帯端末装置１００の機能構成の一例を示すブロック図である。
【図３】入力要求画面Ｐの一例を示す図である。
【図４】予め設定される使用可能エリアＡ１の一例を示す図である。
【図５】本発明の第１の実施形態に係る携帯端末装置１００における使用制限の解除の手順について示すフローチャートである。
【図６】本発明の第２の実施形態に係る携帯端末装置１００Ａのハードウェア構成の一例を示すブロック図である。
【図７】本発明の第２の実施形態に係る携帯端末装置１００Ａの機能構成の一例を示すブロック図である。
【図８】本発明の第２の実施形態に係る携帯端末装置１００Ａにおける使用制限の解除の手順について示すフローチャートである。
【図９】本発明の第３の実施形態に係る携帯端末装置１００Ｂのハードウェア構成の一例を示すブロック図である。
【図１０】本発明の第３の実施形態に係る携帯端末装置１００Ｂの機能構成の一例を示すブロック図である。
【図１１】本発明の第３の実施形態に係る携帯端末装置１００Ｂにおける使用制限の解除の手順について示すフローチャートである。
【発明を実施するための形態】
【００１８】
図１は、本発明の第１の実施形態に係る携帯端末装置１００のハードウェア構成の一例を示すブロック図である。本実施形態に係る携帯端末装置１００は、電話の発信・着信、電話帳の作成・閲覧、電子メールの作成・送信・閲覧、撮像素子による静止画像または動画像の撮影、およびインターネットへの接続など種々の機能を実現可能に構成された携帯電話であり、少なくともこのような機能のうちの一部の機能、あるいは全ての機能について、使用制限を設定することができるように構成されている。携帯端末装置１００としては、携帯電話に限らず、たとえばＰＤＡおよびノート型ＰＣなど、持ち運んで使用することが可能な端末装置によって実現することができる。
【００１９】
携帯端末装置１００は、図１に示すように、表示部１０、操作部２０、ＧＰＳ（Global Positioning System）アンテナ３０、ＧＰＳ部４０、ＲＡＭ（Random Access Memory）５０、ＲＯＭ（Read Only Memory）６０、不揮発性メモリ７０、制御部８０を含んで構成される。また、図示しないが、音声を出力するためのスピーカ、音声を入力するためのマイクロフォン、および静止画像・動画像を撮影可能な撮像素子なども備えている。
【００２０】
表示部１０は、たとえば、液晶ディスプレイ（ＬＣＤ：Liquid Crystal Display）またはＥＬ（Electro Luminescence）ディスプレイなどによって構成され、種々の画像を表示することができる。
【００２１】
操作部２０は、電話番号の入力および電子メールの作成など数字・文字入力に用いられる複数のキー、電話の発信・着信および撮像素子による撮像などの機能を実行するための複数のファンクションキー、表示画面のスクロールやカーソルの移動などに用いられる十字キー、および電源キーなど複数のキーを備える。ユーザは、これらのキーを操作することにより、制御部８０に対して指示およびデータの入力を行うことができる。
【００２２】
ＧＰＳアンテナ３０は、ＧＰＳ衛星３５から送信される搬送波を受信可能に構成される。ＧＰＳ部４０は、制御部８０からの指令に従って起動し、ＧＰＳアンテナ３０によって受信した複数のＧＰＳ衛星３５からの搬送波に基づいて、携帯端末装置１００の所在位置を測定する。
【００２３】
ＲＡＭ５０は、ワークエリアとして機能し、各種データを一時的に記憶する。ＲＯＭ６０および不揮発性メモリ７０には、制御部８０が実行するプログラム、具体的には、携帯端末装置１００全体の動作を制御するための基本ソフトウェア（ＯＳ：Operating System）、および携帯端末装置１００に搭載される種々の機能を実現するためのアプリケーションソフトウェアが格納されるとともに、本発明を実現するために必要なデータを含む種々のデータが格納される。不揮発性メモリ７０は、たとえばフラッシュメモリによって実現される。
【００２４】
制御部８０は、ＣＰＵ（Central Processing Unit）によって実現され、ＲＯＭ６０または不揮発性メモリ７０に記憶されるプログラムおよびデータに従って、携帯端末装置１００の各部を統括して制御する。
【００２５】
図２は、本発明の第１の実施形態に係る携帯端末装置１００の機能構成の一例を示すブロック図である。制御部８０は、ＲＯＭ６０または不揮発性メモリ７０に記憶されるプログラムを実行することにより、設定解除部９１、入力要求部９２、認証部９３、位置情報取得部９４、および位置判定部９５などとして機能する。
【００２６】
設定解除部９１は、ユーザによって操作部２０を介して入力された指示に基づいて、携帯端末装置１００に搭載される種々の機能のうちの一部の機能、あるいは全ての機能について、使用制限を設定する。また、設定解除部９１は、後述するように、所定の条件が満たされた場合に、設定されている使用制限を解除する。ユーザは、設定解除部９１によって使用制限が設定された機能については、設定解除部９１によって使用制限が解除されなければ利用することができない。
【００２７】
入力要求部９２は、後述する位置判定部９５によって携帯端末装置１００の所在位置が、使用可能エリア内の位置でないと判定された場合に、ユーザに対して、認証情報の入力を要求する。具体的には、表示部１０に、所定の入力要求画面を表示させる。
【００２８】
図３は、入力要求画面Ｐの一例を示す図である。本実施形態では、図３に示すように、認証情報としてパスワードの入力を要求する入力要求画面Ｐが表示部１０に表示される。なお、認証情報としては、パスワードに限らず、指紋や虹彩などの生体情報であってもよい。
【００２９】
認証部９３は、入力要求部９２による入力要求に応答してユーザが入力した認証情報を、ＲＯＭ６０または不揮発性メモリ７０に予め登録された登録情報と照合することにより、認証を行う。登録情報とは、ユーザが入力した認証情報の照合に用いられる情報であり、ユーザによって予め登録される。
【００３０】
認証部９３による認証が成功した場合、すなわち入力した認証情報が登録情報に一致していると判定された場合には、設定解除部９１は、設定されている使用制限を解除する。一方、認証部９３による認証が失敗した場合、すなわち入力した認証情報が登録情報に一致していないと判定された場合には、設定されている使用制限は解除されない。
【００３１】
位置情報取得部９４は、使用制限が設定されている機能をユーザが利用しようとした場合に、ＧＰＳ部４０に対して、携帯端末装置１００の所在位置を測定させるための指令を出力する。そして、位置情報取得部９４は、ＧＰＳ部４０によって携帯端末装置１００の所在位置が測定されると、その所在位置を示す位置情報をＧＰＳ部４０から取得する。
【００３２】
位置判定部９５は、位置情報取得部９４によって取得された位置情報と、認証情報の入力を省略してもよいエリアとして予めユーザによって設定された使用可能エリアを示す領域情報とを比較して、携帯端末装置１００の所在位置が、使用可能エリア内の位置であるか否かを判定する。予め定める地域である使用可能エリアを示す領域情報は、ＲＯＭ６０または不揮発性メモリ７０に格納されている。
【００３３】
携帯端末装置１００の所在位置が、使用可能エリア内の位置であると判定された場合には、設定解除部９１は、認証部９３による認証に依らずに、設定されている使用制限を解除する。また、携帯端末装置１００の所在位置が、使用可能エリア内の位置でないと判定された場合には、前記のように、入力要求部９２が、パスワードの入力を要求する入力要求画面Ｐを表示部１０に表示させる。
【００３４】
図４は、予め設定される使用可能エリアＡ１の一例を示す図である。本実施形態では、図４（ａ）に示すように、領域情報として、所定の設定位置Ｃ１の位置座標（ｘ１、ｙ１）と、その設定位置Ｃ１からの距離Ｌとを指定することによって、円形の使用可能エリアＡ１を設定できるように構成されている。また、図４（ｂ）に示すように、２箇所の設定位置Ｃ２，Ｃ３の位置座標（ｘ２、ｙ２），（ｘ３、ｙ３）を指定することによって、２箇所の設定位置Ｃ２，Ｃ３を対角の位置とする矩形状の使用可能エリアＡ１を設定できるように構成されている。また、これに限らず、設定位置を複数指定することによって、複数の設定位置によって囲われる領域を、使用可能エリアとして設定することもできる。なお、図４において、使用可能エリアＡ１の範囲外のエリアをＡ２で示している。
【００３５】
図５は、本発明の第１の実施形態に係る携帯端末装置１００における使用制限の解除の手順について示すフローチャートである。以下では、携帯端末装置１００に搭載される全ての機能について使用制限が設定されているものとして説明する。この場合、携帯端末装置１００は、電源の投入によって起動されたとしても、使用制限が解除されなければ利用することができないものとする。
【００３６】
ステップａ１で、ユーザによって電源キーが押圧されることにより、電源が投入される。ステップａ２では、位置判定部９５が、ＲＯＭ６０または不揮発性メモリ７０に格納されている使用可能エリアの領域情報を取得する。
【００３７】
ステップａ３では、位置情報取得部９４が、ＧＰＳ部４０に対して、携帯端末装置１００の所在位置を測定させるための指令を出力する。これにより、ＧＰＳ部４０は起動し、ＧＰＳアンテナ３０によって受信した複数のＧＰＳ衛星３５からの搬送波に基づいて、携帯端末装置１００の所在位置を測定する。
【００３８】
ステップａ４では、位置情報取得部９４が、ＧＰＳ部４０から所在位置を示す位置情報を取得する。ステップａ４で、位置情報が取得された場合には、ステップａ５に進み、位置情報を取得することができなかった場合には、ステップａ８に進む。
【００３９】
ステップａ５では、位置判定部９５が、位置情報取得部９４によって取得された位置情報と、ステップａ２で取得した使用可能エリアの領域情報とを比較して、携帯端末装置１００の所在位置が、使用可能エリア内の位置であるか否かを判定する。携帯端末装置１００の所在位置が、使用可能エリア内の位置であると判定された場合には、ステップａ６に進み、携帯端末装置１００の所在位置が、使用可能エリア内の位置でないと判定された場合には、ステップａ８に進む。
【００４０】
ステップａ６では、設定解除部９１が、認証部９３による認証に依らずに、設定されている使用制限を解除する。これにより、携帯端末装置１００は、全ての機能を利用することができる状態となる。ステップａ７で、ユーザによって電源キーが押圧されることにより、電源が遮断される。
【００４１】
また、ステップａ８では、入力要求部９２が、パスワードの入力を要求する入力要求画面Ｐを表示部１０に表示させる。この入力要求に応答して、ユーザが、操作部２０を介してパスワードを入力すると、ステップａ９で、認証部９３が、入力されたパスワードを、ＲＯＭ６０または不揮発性メモリ７０に予め登録されたパスワードと照合することにより、認証を行う。認証部９３によって認証が成功した場合には、ステップａ６に進み、認証が失敗した場合には、ステップａ７に進む。なお、本実施形態では、認証が失敗した場合に、ステップａ７に進むように構成されているが、他の実施形態では、ステップａ８に戻り、再びパスワードの入力を要求するように構成してもよい。
【００４２】
以上では、携帯端末装置１００に搭載される全ての機能について使用制限が設定されているものとして説明しているが、これに限らず、個別の機能について使用制限を設定した場合であっても、同様の解除手順を適用することができる。
【００４３】
以上のように、本実施形態によれば、少なくとも一部の機能について使用制限の設定が可能な携帯端末装置１００において、携帯端末装置１００の所在位置が使用可能エリア内の位置である場合には、ユーザは、認証情報の入力をせずとも、自動的に使用制限が解除することができる。また、携帯端末装置１００の所在位置が使用可能エリア内の位置でない場合であっても、正しい認証情報を入力することによって、ユーザは、使用制限を解除することができる。これにより、情報漏洩や不正使用に対するセキュリティを図りつつも、認証情報の入力作業を省略可能とすることで、ユーザの利便性を向上させることができる。このような携帯端末装置１００は、業務用の端末装置において好適に実施することができる。
【００４４】
図６は、本発明の第２の実施形態に係る携帯端末装置１００Ａのハードウェア構成の一例を示すブロック図である。本実施形態に係る携帯端末装置１００Ａは、前述の第１の実施形態に係る携帯端末装置１００と重複する構成を有するので、同一の構成については、同一の参照符を付して説明を省略する。
【００４５】
携帯端末装置１００Ａは、図６に示すように、表示部１０、操作部２０、無線通信用アンテナ３０Ａ、無線通信部４０Ａ、ＲＡＭ５０、ＲＯＭ６０、不揮発性メモリ７０、制御部８０Ａを含んで構成される。
【００４６】
無線通信部４０Ａは、たとえばＩＥＥＥ８０２．１１などの無線ＬＡＮ（Local Area 
Network）規格に準拠した無線通信デバイスなどによって構成される。無線通信部４０Ａは、無線ＬＡＮアクセスポイント（ＡＰ：Access Point）３５Ａと無線通信するための無線通信用アンテナ３０Ａによる電波送受信を制御することで、無線ＬＡＮアクセスポイント３５Ａとの無線通信によりデータ通信を行う。
【００４７】
無線ＬＡＮアクセスポイント３５Ａは、無線通信部３６と、記憶部３７と、制御部３８と、ＬＡＮインタフェース３９とを有し、たとえばＩＥＥＥ８０２．１１などの無線ＬＡＮ規格に準拠した無線通信装置によって構成される。無線ＬＡＮアクセスポイント３５Ａは、ＬＡＮインタフェース３９を介して、たとえば社内ＬＡＮなどに接続される。
【００４８】
無線通信部３６は、アンテナから一定の間隔でビーコン信号を発信するように構成される。記憶部３７には、制御部８０Ａが実行するプログラムが格納されるとともに、無線ＬＡＮネットワークを識別するための識別情報を含む各種のデータが格納される。無線ＬＡＮアクセスポイント３５Ａから発信されるビーコン信号には、この識別情報が含まれる。
【００４９】
制御部３８は、ＣＰＵ（Central Processing Unit）によって実現され、記憶部３７に記憶されるプログラムおよびデータに従って、無線ＬＡＮアクセスポイント３５Ａの各部を統括して制御する。
【００５０】
無線通信部４０Ａは、制御部８０からの指令に従って起動されると、無線ＬＡＮアクセスポイント３５Ａが発信するビーコン信号の受信を開始する。ここで、携帯端末装置１００Ａが無線ＬＡＮエリア内にない場合には、無線通信部４０Ａは、ビーコン信号を受信することができない。
【００５１】
一方、携帯端末装置１００Ａが無線ＬＡＮエリア内にある場合には、無線通信部４０Ａは、ビーコン信号を受信することができる。ビーコン信号を受信した場合、無線通信部４０Ａは、ＲＯＭ６０または不揮発性メモリ７０に予め登録されたアクセスポイント接続情報を取得し、このアクセスポイント接続情報とビーコン信号によって通知される識別情報とを照合する。照合の結果、アクセスポイント接続情報と識別情報とが一致した場合に、無線通信部４０Ａは、無線ＬＡＮアクセスポイント３５Ａとの無線ＬＡＮ接続動作を開始する。これにより、携帯端末装置１００Ａと無線ＬＡＮアクセスポイント３５Ａとの通信が確立される。
【００５２】
無線通信部４０Ａは、無線ＬＡＮアクセスポイント３５Ａとの通信が確立されると、その無線ＬＡＮアクセスポイント３５Ａから発信されるビーコン信号の受信電界強度を検出する。
【００５３】
図７は、本発明の第２の実施形態に係る携帯端末装置１００Ａの機能構成の一例を示すブロック図である。制御部８０Ａは、ＲＯＭ６０または不揮発性メモリ７０に記憶されるプログラムを実行することにより、設定解除部９１、入力要求部９２、認証部９３、通信状態取得部９６、および通信状態判定部９７などとして機能する。
【００５４】
入力要求部９２は、後述する通信状態判定部９７によって無線ＬＡＮアクセスポイント３５Ａから発信されるビーコン信号の受信電界強度が、予め設定された電界強度以上でないと判定された場合に、表示部１０に、所定の入力要求画面を表示させる。
【００５５】
通信状態取得部９６は、使用制限が設定されている機能をユーザが利用しようとした場合に、無線通信部４０Ａに対して、所定の無線ＬＡＮアクセスポイント３５Ａとの通信を確立させるための指令を出力する。そして、通信状態取得部９６は、所定の無線ＬＡＮアクセスポイント３５Ａとの通信が確立すると、その無線ＬＡＮアクセスポイント３５Ａから発信されるビーコン信号の受信電界強度を示す受信レベル情報を、無線通信部４０Ａから取得する。
【００５６】
通信状態判定部９７は、通信状態取得部９６によって取得された受信レベル情報と、予めユーザによって設定された電界強度を示す電界強度情報とを比較して、無線ＬＡＮアクセスポイント３５Ａから発信されるビーコン信号の受信電界強度が、予め設定された電界強度以上であるか否かを判定する。電界強度を示す電界強度情報は、ＲＯＭ６０または不揮発性メモリ７０に格納されている。
【００５７】
無線ＬＡＮアクセスポイント３５Ａから発信されるビーコン信号の受信電界強度が、予め設定された電界強度以上であると判定された場合には、設定解除部９１は、認証部９３による認証に依らずに、設定されている使用制限を解除する。また、無線ＬＡＮアクセスポイント３５Ａから発信されるビーコン信号の受信電界強度が、予め設定された電界強度以上でないと判定された場合には、前記のように、入力要求部９２が、パスワードの入力を要求する入力要求画面Ｐを表示部１０に表示させる。
【００５８】
図８は、本発明の第２の実施形態に係る携帯端末装置１００Ａにおける使用制限の解除の手順について示すフローチャートである。以下では、携帯端末装置１００Ａに搭載される全ての機能について使用制限が設定されているものとして説明する。この場合、携帯端末装置１００Ａは、電源の投入によって起動されたとしても、使用制限が解除されなければ利用することができないものとする。
【００５９】
ステップｂ１で、ユーザによって電源キーが押圧されることにより、電源が投入される。ステップｂ２では、通信状態判定部９７が、ＲＯＭ６０または不揮発性メモリ７０に格納されている電界強度情報を取得する。
【００６０】
ステップｂ３では、通信状態取得部９６が、無線通信部４０Ａに対して、所定の無線ＬＡＮアクセスポイント３５Ａとの通信を確立させるための指令を出力する。これにより、無線通信部４０Ａは起動し、無線ＬＡＮアクセスポイント３５Ａが発信するビーコン信号の受信を開始する。
【００６１】
ステップｂ４では、通信状態取得部９６が、所定の無線ＬＡＮアクセスポイント３５Ａとの通信が確立されたか否かを判定する。通信が確立された場合には、通信状態取得部９６は、その無線ＬＡＮアクセスポイント３５Ａから発信されるビーコン信号の受信電界強度を示す受信レベル情報を、無線通信部４０Ａから取得して、ステップｂ５に進む。また、通信を確立することができなかった場合には、ステップｂ８に進む。
【００６２】
ステップｂ５では、通信状態判定部９７が、通信状態取得部９６によって取得された受信レベル情報と、ステップｂ２で取得した電界強度情報とを比較して、無線ＬＡＮアクセスポイント３５Ａから発信されるビーコン信号の受信電界強度が、予め設定された電界強度以上であるか否かを判定する。予め設定された電界強度以上であると判定された場合には、ステップｂ６に進み、予め設定された電界強度以上でないと判定された場合には、ステップｂ８に進む。
【００６３】
ステップｂ６では、設定解除部９１が、認証部９３による認証に依らずに、設定されている使用制限を解除する。これにより、携帯端末装置１００Ａは、全ての機能を利用することができる状態となる。ステップｂ７で、ユーザによって電源キーが押圧されることにより、電源が遮断される。
【００６４】
また、ステップｂ８では、入力要求部９２が、パスワードの入力を要求する入力要求画面Ｐを表示部１０に表示させる。この入力要求に応答して、ユーザが、操作部２０を介してパスワードを入力すると、ステップｂ９で、認証部９３が、入力されたパスワードを、ＲＯＭ６０または不揮発性メモリ７０に予め登録されたパスワードと照合することにより、認証を行う。認証部９３によって認証が成功した場合には、ステップｂ６に進み、認証が失敗した場合には、ステップｂ７に進む。なお、本実施形態では、認証が失敗した場合に、ステップｂ７に進むように構成されているが、他の実施形態では、ステップｂ８に戻り、再びパスワードの入力を要求するように構成してもよい。
【００６５】
以上では、携帯端末装置１００Ａに搭載される全ての機能について使用制限が設定されているものとして説明しているが、これに限らず、個別の機能について使用制限を設定した場合であっても、同様の解除手順を適用することができる。
【００６６】
以上のように、本実施形態によれば、少なくとも一部の機能について使用制限の設定が可能な携帯端末装置１００Ａにおいて、所定の無線ＬＡＮアクセスポイント３５Ａから発信されるビーコン信号の受信電界強度が、予め設定された電界強度以上である場合には、ユーザは、認証情報の入力をせずとも、自動的に使用制限を解除することができる。また、所定の無線ＬＡＮアクセスポイント３５Ａから発信されるビーコン信号の受信電界強度が、予め設定された電界強度以上でない場合であっても、正しい認証情報を入力することによって、ユーザは、使用制限を解除することができる。これにより、情報漏洩や不正使用に対するセキュリティを図りつつも、認証情報の入力作業を省略可能とすることで、ユーザの利便性を向上させることができる。このような携帯端末装置１００Ａは、業務用の端末装置において好適に実施することができる。
【００６７】
本実施形態では、無線ＬＡＮアクセスポイント３５Ａとの無線通信による通信状態に基づいて、使用制限の自動解除および認証情報の入力要求が決定されているが、予め定める通信装置としては、無線ＬＡＮアクセスポイント３５Ａに限らず、たとえばハブやルータなど、携帯端末装置１００Ａと有線通信可能に構成された有線ＬＡＮ用のネットワーク機器であってもよい。
【００６８】
この場合、携帯端末装置１００Ａと所定の有線ＬＡＮ用のネットワーク機器とが有線接続された後、有線ＬＡＮネットワーク上で通信するための設定が行われる。ネットワーク上で通信するための設定は、たとえばＤＨＣＰ（Dynamic Host Configuration Protocol）サーバなどからＩＰ（Internet Protocol）アドレスを取得することによって行われる。したがって、ネットワーク上で通信するための設定まで完了した場合には、認証情報の入力をせずとも、自動的に使用制限を解除するようにし、ネットワーク上で通信するための設定まで完了しなかった場合には、認証情報の入力を要求するように構成すればよい。このように構成された場合であっても、第２の実施形態と同様の効果を達成することができる。
【００６９】
図９は、本発明の第３の実施形態に係る携帯端末装置１００Ｂのハードウェア構成の一例を示すブロック図である。本実施形態に係る携帯端末装置１００Ｂは、前述の第１の実施形態に係る携帯端末装置１００と重複する構成を有するので、同一の構成については、同一の参照符を付して説明を省略する。
【００７０】
携帯端末装置１００Ｂは、図９に示すように、表示部１０、操作部２０、クレードル接続Ｉ／Ｆ（Interface）３０Ｂ、ＲＡＭ５０、ＲＯＭ６０、不揮発性メモリ７０、制御部８０Ｂを含んで構成される。
【００７１】
クレードル接続Ｉ／Ｆ３０Ｂは、携帯端末装置１００Ｂに付属の拡張機器であるクレードル３５Ｂとの接続用インタフェースである。
【００７２】
クレードル３５Ｂは、接続Ｉ／Ｆ４１を備え、携帯端末装置１００Ｂ本体を載置することにより、携帯端末装置１００Ｂと接続するように構成されている。また、クレードル３５Ｂは、接続Ｉ／Ｆ４１を介して、ケーブルなどでパソコン４５Ｂと接続可能に構成されている。
【００７３】
情報処理装置であるパソコン４５Ｂは、制御部４２、記憶部４３、通信Ｉ／Ｆ４４を有し、ＵＳＢ（Universal Serial Bus）インタフェースなどの通信Ｉ／Ｆ４４を介して、クレードル３５Ｂに接続された携帯端末装置１００Ｂとの間でデータ通信可能に構成されている。
【００７４】
図１０は、本発明の第３の実施形態に係る携帯端末装置１００Ｂの機能構成の一例を示すブロック図である。制御部８０Ｂは、ＲＯＭ６０または不揮発性メモリ７０に記憶されるプログラムを実行することにより、設定解除部９１、入力要求部９２、認証部９３、接続状態取得部９８、および接続状態判定部９９などとして機能する。
【００７５】
入力要求部９２は、後述する接続状態判定部９９によって所定のパソコン４５Ｂとデータ通信可能な状態でないと判定された場合に、表示部１０に、所定の入力要求画面を表示させる。
【００７６】
接続状態取得部９８は、携帯端末装置１００Ｂが、所定のパソコン４５Ｂとの接続状態、具体的には、所定のパソコン４５Ｂとデータ通信が可能な状態（通信プロトコル上での接続が完了した状態）であるか、あるいは不可能な状態であるかを示す接続情報を取得する。
【００７７】
接続状態判定部９９は、接続状態取得部９８によって取得された接続情報に基づいて、所定のパソコン４５Ｂとの接続状態が予め定める接続状態、すなわちデータ通信可能な状態であるか否かを判定する。
【００７８】
所定のパソコン４５Ｂとデータ通信可能な状態であると判定された場合には、設定解除部９１は、認証部９３による認証に依らずに、設定されている使用制限を解除する。また、所定のパソコン４５Ｂとデータ通信可能な状態でないと判定された場合には、前記のように、入力要求部９２が、パスワードの入力を要求する入力要求画面Ｐを表示部１０に表示させる。
【００７９】
図１１は、本発明の第２の実施形態に係る携帯端末装置１００Ｂにおける使用制限の解除の手順について示すフローチャートである。以下では、携帯端末装置１００Ｂに搭載される全ての機能について使用制限が設定されているものとして説明する。この場合、携帯端末装置１００Ｂは、電源の投入によって起動されたとしても、使用制限が解除されなければ利用することができないものとする。
【００８０】
ステップｃ１で、ユーザによって電源キーが押圧されることにより、電源が投入される。ステップｃ２では、接続状態取得部９８が、携帯端末装置１００Ｂとクレードル３５Ｂとが接続されているか否かを判定する。クレードル３５Ｂに接続されている場合には、接続状態取得部９８は、接続情報を取得して、ステップｃ３に進む。また、クレードル３５Ｂに接続されていない場合には、ステップｃ６に進む。
【００８１】
ステップｃ３では、接続状態判定部９９が、接続状態取得部９８によって取得された接続情報に基づいて、所定のパソコン４５Ｂとの接続状態が、データ通信可能な状態であるか否かを判定する。データ通信可能な状態であると判定された場合には、ステップｃ４に進み、データ通信可能な状態でないと判定された場合には、ステップｃ６に進む。
【００８２】
ステップｃ４では、設定解除部９１が、認証部９３による認証に依らずに、設定されている使用制限を解除する。これにより、携帯端末装置１００Ｂは、全ての機能を利用することができる状態となる。ステップｃ５で、ユーザによって電源キーが押圧されることにより、電源が遮断される。
【００８３】
また、ステップｃ６では、入力要求部９２が、パスワードの入力を要求する入力要求画面Ｐを表示部１０に表示させる。この入力要求に応答して、ユーザが、操作部２０を介してパスワードを入力すると、ステップｃ７で、認証部９３が、入力されたパスワードを、ＲＯＭ６０または不揮発性メモリ７０に予め登録されたパスワードと照合することにより、認証を行う。認証部９３によって認証が成功した場合には、ステップｃ４に進み、認証が失敗した場合には、ステップｃ５に進む。なお、本実施形態では、認証が失敗した場合に、ステップｃ５に進むように構成されているが、他の実施形態では、ステップｃ６に戻り、再びパスワードの入力を要求するように構成してもよい。
【００８４】
以上では、携帯端末装置１００Ｂに搭載される全ての機能について使用制限が設定されているものとして説明しているが、これに限らず、個別の機能について使用制限を設定した場合であっても、同様の解除手順を適用することができる。
【００８５】
以上のように、本実施形態によれば、少なくとも一部の機能について使用制限の設定が可能な携帯端末装置１００Ｂにおいて、所定のパソコン４５Ｂとのデータ通信が可能な状態である場合には、ユーザは、認証情報の入力をせずとも、自動的に使用制限を解除することができる。また、所定のパソコン４５Ｂとのデータ通信が可能な状態でない場合であっても、正しい認証情報を入力することによって、ユーザは、使用制限を解除することができる。これにより、情報漏洩や不正使用に対するセキュリティを図りつつも、認証情報の入力作業を省略可能とすることで、ユーザの利便性を向上させることができる。このような携帯端末装置１００Ｂは、業務用の端末装置において好適に実施することができる。
【符号の説明】
【００８６】
１０  表示部
２０  操作部
３０  ＧＰＳアンテナ
３５  ＧＰＳ衛星
４０  ＧＰＳ部
５０  ＲＡＭ
６０  ＲＯＭ
７０  不揮発性メモリ
８０  制御部
９１  設定解除部
９２  入力要求部
９３  認証部
９４  位置情報取得部
９５  位置判定部
１００  携帯端末装置
【図１】
0005622516.tif 000002
【図２】
0005622516.tif 000003
【図３】
0005622516.tif 000004
【図４】
0005622516.tif 000005
【図５】
0005622516.tif 000006
【図６】
0005622516.tif 000007
【図７】
0005622516.tif 000008
【図８】
0005622516.tif 000009
【図９】
0005622516.tif 000010
【図１０】
0005622516.tif 000011
【図１１】
0005622516.tif 000012